(57)【要約】【課題】操作無効化手段をプレート上に配置する。【解決手段】本体２の上面に被加熱物を載置するプレート３と、プレート３の下方に前記被加熱物を加熱する加熱手段３０と、加熱手段３０の設定を行う操作部９０と、本体２の中に設け操作部９０の設定に基づいて加熱手段３０を制御する制御手段１９と、プレート３に前記上面操作部９の入力を有効もしくは無効に設定する操作無効化手段３９と、を備え、操作無効化手段３９は、複数の入力キー群から構成し、該入力キーの入力する順番に応じて操作部９０の入力を有効もしくは無効とするものである。【選択図】  図１
2015156273.tif 000002
【特許請求の範囲】
【請求項１】
本体の上面に被加熱物を載置するプレートと、
該プレートの下方に前記被加熱物を加熱する加熱手段と、
前記加熱手段の設定を行う操作部と、
前記本体の中に設け前記操作部の設定に基づいて前記加熱手段を制御する制御手段と、
前記プレートに前記操作部の入力を有効もしくは無効に設定する操作無効化手段と、を備え、
該操作無効化手段は、複数の入力キー群から構成し、該入力キーの入力する順番に応じて前記操作部の入力を有効もしくは無効とすることを特徴とする加熱調理器。
【請求項２】
前記操作無効化手段の複数の入力キーを整列して並べ、前記入力キーの入力を一方から他方側へ順番に操作した時は前記操作部の入力を無効とし、前記入力キーの入力を前記他方側から反対側へ順番に操作した時は前記操作部の入力を有効とすることを特徴とする請求項１記載の加熱調理器。
【請求項３】
前記操作無効化手段の複数の入力キーを整列して並べ、前記入力キーの中間部に特定の加熱手段の操作手段のみ入力を無効化する入力キーを設けたことを特徴とする請求項１または２に記載の加熱調理器。
【請求項４】
前記操作無効化手段の複数の入力キーを整列して並べ、該入力キーの入力を一方から前記中間部に設けた入力キーまで操作した時は、特定の加熱手段の操作手段のみ入力を無効化することを特徴とする請求項３に記載の加熱調理器。
【発明の詳細な説明】
【技術分野】
【０００１】
本発明は、操作の入力無効化を設定、解除するキーを備えた加熱調理器に関するものである。
【背景技術】
【０００２】
従来のこの種の加熱調理器においては、特許文献１に記載されたものは、操作部にチャイルドロックスイッチを設け、チャイルドロックスイッチを特定の時間、押し続けることでチャイルドロックを設定、解除するものである。
【先行技術文献】
【特許文献】
【０００３】
【特許文献１】特開２００５−１２１２８７
【発明の概要】
【発明が解決しようとする課題】
【０００４】
上記した特許文献１の加熱調理器において、チャイルドロックスイッチ（操作無効化手段）を静電容量式の入力キーとしてプレート上に設けた場合、鍋などをそのキーの上に置いた時に、誤ってチャイルドロックの設定を解除（もしくは設定）するという課題がある。
【課題を解決するための手段】
【０００５】
本発明は、上記の課題を解決するためになされたものであり、本体の上面に被加熱物を載置するプレートと、該プレートの下方に前記被加熱物を加熱する加熱手段と、前記加熱手段の設定を行う操作部と、前記本体の中に設け前記操作部の設定に基づいて前記加熱手段を制御する制御手段と、前記プレートに前記操作部の入力を有効もしくは無効に設定する操作無効化手段と、を備え、該操作無効化手段は、複数の入力キー群から構成し、該入力キーの入力する順番に応じて前記操作部の入力を有効もしくは無効とするものである。
【発明の効果】
【０００６】
本発明の誘導加熱調理器によれば、意図せずに操作無効化手段を操作することを防止できる。
【図面の簡単な説明】
【０００７】
【図１】一実施例の誘導加熱調理器をシステムキッチンに収納した斜視図。
【図２】同誘導加熱調理器のプレートを外した状態を示す説明図。
【図３】同誘導加熱調理器の側面から見た主要断面図。
【図４】同誘導加熱調理器の上面操作部の説明図。
【図５】同誘導加熱調理器の操作部内部を示した図。
【図６】同誘導加熱調理器の操作無効化手段の全無効化キーの（ａ）設定と（ｂ）解除の説明図。
【図７】同誘導加熱調理器の操作無効化手段の特定無効化キーの（ａ）設定と（ｂ）解除の説明図。
【図８】同誘導加熱調理器のシステムキッチンに収納した状態の操作無効化手段の位置を説明する断面図。
【発明を実施するための形態】
【０００８】
以下、本発明の実施例を図１から図８に従って説明する。
【０００９】
尚、本実施例は、キッチンに嵌め込むビルトイン型の他にキッチンに載置する据置型の誘導加熱調理器であっても差し支えない。
【００１０】
図１から図３において、加熱調理器の本体２は、システムキッチン１の上面から落とし込んで設置することで組み込まれる。
【００１１】
調理を行う被加熱物の鍋（図示せず）は、上面が開口した箱状の筺体である本体２の上面に配置され上面の開口よりも大きな平面積を有し上面の開口を塞ぐように取り付けられ耐熱ガラス等からなり光を透過するプレート３の載置部６に載置されることで調理可能となる。
【００１２】
載置部６は、本体２上面のプレート３の上面手前に載置部右６ａと載置部左６ｂが配置され、これら両載置部６ａおよび６ｂの間の奥（中央後部）に載置部中央６ｃが配置されて、被加熱物の鍋を載せる位置を示す表示マークが記されている。
【００１３】
そして、プレート３を挟んで各載置部６の下に鍋を加熱するための後述する加熱コイルユニット２５がそれぞれ設置されている。配置は、載置部右６ａの下方には加熱コイルユニット右２５ａが、載置部左６ｂの下方には加熱コイルユニット左２５ｂが、載置部中央６ｃの下方には加熱コイルユニット中央２５ｃが設けられている。また、載置部中央６ｃの下方には、ラジエントヒータにより直接鍋を加熱する中央ヒータを設けるものでもよい。
【００１４】
プレート３の周囲端面には、プレート３を保護するためにフレーム１４が設けられている。フレーム１４は、プレート３の手前の上端縁に取り付けられるフレーム前１４ａと、プレート３の後方上端縁に取り付けられるフレーム後１４ｂと、右側上端縁に取り付けられる１４ｃと、左側上端縁に取り付けられるフレーム左１４ｄとで構成されている。
【００１５】
図４に示すように、上面操作部９はプレート３の前面側に設けられ、載置部右６ａ、載置部中央６ｃ、載置部左６ｂに対応して右から、上面操作部右９ａ、上面操作部中央９ｃ、上面操作部左９ｂが配置されている。そして、各上面操作部９の上側には上面表示部右１０ａ、上面表示部中央１０ｃ、上面表示部左１０ｂからなる上面表示部１０が設けられている。上面操作部９は後述の加熱手段３０の設定を行うものである。
【００１６】
また、本体２の左側には、魚やピザなどを焼くためのロースター４が設けられている。ロースター４の右側にロースター４の操作をする前面操作パネル４０が設けられている。本体２の設定を行う操作部９０を上面操作部９と前面操作パネル４０より構成し、操作部９０の設定は後述の制御手段１９に入力される。また、上面操作部９にロースター４の操作を行う構成を備えて上面操作部９に集約するものでもよい。
【００１７】
プレート３の下方の本体２には、プレート３の直下に配置される加熱コイルユニット２５と本体２の左側に配置されるロースター４による複数の加熱手段３０を備え、操作部９０で設定する。
【００１８】
本体２の内部には、発熱部材である加熱コイルユニット２５や後述する制御回路を構成する電子部品が設けられており、加熱コイルユニット２５や制御回路の後方には、これらを冷却するための送風ファン２０と、本体２の外部から空気を吸込むための吸気口７及び冷却後の排気を排出する排気口８が設けられている。
【００１９】
吸気口７で吸入した空気は、本体２の内部で発熱する加熱コイルユニット２５や電子部品を冷却した後に排気口８から本体２外に排出される。
【００２０】
次に被加熱物の鍋を加熱する加熱手段である加熱コイルについて説明する。
【００２１】
鍋（図示せず）を加熱するための加熱コイルユニット２５は、加熱コイル１３とコイルベース２４とフェライト（図示せず）から構成されている。そして、プレート３と加熱コイルユニット２５との間には一定の隙間が設けられ、この隙間に送風ファン２０からの冷却風の一部を流して、プレート３の裏面と加熱コイルユニット２５を冷却している。
【００２２】
加熱コイル１３は、平面状に渦巻き形成し、巻線は表皮効果を抑制するためリッツ線を採用している。この加熱コイル１３には調理鍋（図示せず）を加熱するために駆動部１７０（左右インバータ基板１８、中央インバータ基板１７）から数十ｋＨｚ、数百Ｖの電圧が印加され動作する。
【００２３】
コイルベース２４は、加熱コイル１３を下から固定すると共に、フェライト（図示せず）が略放射状に埋設されている。
【００２４】
また、加熱コイル１３の略中央部の空間には、自動調理時など鍋の温度を検知する温度検知素子２１が取付けられている。
【００２５】
駆動部１７０は、左右の加熱コイル１３ａ、１３ｂを駆動するインバータ回路を搭載した左右インバータ基板１８と、加熱コイル中央１３ｃを駆動する中央インバータ基板１７とで構成されている。
【００２６】
左右インバータ基板１８、中央インバータ基板１７は基板ケース２６内に配置され、電子部品で発熱した熱を効率よく送風ファン２０からの冷却風と熱交換して温度を下げるように放熱フィン２２、２３が設けられている。
【００２７】
基板ケース２６は、ロースター４が設置されている加熱コイルユニット左２５ｂとは反対の加熱コイルユニット右２５ａの下方に設置されている。本実施例では加熱コイルユニット右２５ａの下側に設置され、中に左右インバータ基板１８、中央インバータ基板１７、制御手段１９を配置している。本体２に設ける制御手段１９は加熱手段３０を制御するものである。
【００２８】
次に、加熱コイル１３と駆動部１７０の冷却について説明する。
【００２９】
送風ファン２０により吸気口７から吸込まれた冷却用の外気は、基板ケース２６内を通流し、左右インバータ基板１８や中央インバータ基板１７、制御回路を搭載した制御手段１９の電子部品から熱を奪った後、基板ケース２６から吹き出て、各加熱コイル１３や本体２内のその他の部品やプレート３の裏面を冷却した後に排気口８から外部に排出する。
【００３０】
基板ケース２６に駆動部１７０と制御手段１９を配置することで調理時に加熱コイル１３やロースター４からの輻射熱を遮り、また、内部に冷却用空気が効率よく行き渡るように冷却用空気が通る風路が形成されている。
【００３１】
次に操作部と表示部について図２、図４、図５で説明する。
【００３２】
上面操作部９は静電容量式の変化を検出するタッチキーによって構成されている。具体的には、プレート３の下方には指を触れた時の静電容量の変化を検出する電極３６を備えた操作基板１２と、電極３６を備えた操作基板１２に設けた穴３６ａを通過してプレートに印刷した上面操作部９の各キー部を照らす光源７６から構成されている。
【００３３】
キー部とは、上面操作部９に設けられた切/スタートキー４８・５６・６１、とろ火キー４９ａ・５７ａ、弱火キー４９ｂ・５７ｂ、中火キー４９ｃ・５７ｃ、強火キー４９ｄ・５７ｄ、メニューキー５２・６０・６４などを示す。
【００３４】
上面表示部１０は、表示ホルダ３２によってプレート３に押さえられ、中央部には、表示部に文字等を表示する駆動回路を含んだ表示基板３３を固定している。
【００３５】
次に、鍋への加熱条件を設定する上面操作部９（代表して上面操作部右９ａ）の各キー部について説明する。
【００３６】
４８は調理の開始や停止するための切/スタートキーで、調理中は切/スタートキー４８のキー部の表示された「切/スタート」が点灯する。
【００３７】
調理の火力は火力キー４９によって選択する。火力キー４９は、「とろ火」、「弱火」、「中火」、「強火」の四段階のキーに分かれ、必要な火力を一回の操作で設定できるようになっている。四段階の火力キー４９のうち、とろ火キー４９ａは「１」、弱火キー４９ｂは「４」、中火キー４９ｃは「７」、強火キー４９ｄは「１０」の火力に設定でき、設定したキー部の表示が点灯する。
【００３８】
５１は主に煮込みや保温などタイマー調理を実施するときに選択するタイマーキーである。５２は自動調理の炊飯、揚げもの、湯沸し等を選択するための「メニュー」キーで、メニューキー５２を押す（指で接触する）ことで上面表示部１０にメニューが表示され、メニューキー５２を押すたびに表示されているメニューが切り替わり、これによって使用するメニューを選択する。
【００３９】
また、火力の調節やタイマー調理時の時間の設定、炊飯時における米の量の設定、自動調理の仕上がり調整の設定、揚げものをする時の油温の設定を設定キー５０により行うことができる。この設定キー５０は、設定時の数量などを増やすＵＰキー５０ａと減らすＤＯＷＮキー５０ｂからなっている。
【００４０】
なお、上面操作部左９ｂは上面操作部右９ａと同じ操作、配列であるので説明を省略する。
【００４１】
次に上面操作部中央９ｃについて説明する。載置部中央６ｃの主な調理は保温や煮込みである。従って、加熱コイル中央１３ｃの火力も他の加熱コイルの火力よりも小さく設計されている。このため火力表記は、とろ火、弱火、中火の三段階で足り、設定キー６２をサイクリック式としても、最大３回押せば元に戻るので、手前２つの加熱コイル２５ａ、２５ｂのように火力毎に対応した火力設定キーを設けていない。
【００４２】
操作基板１２は、操作基板１２ａと操作基板１２ｂとに別れ、操作基板１２ａは上面操作部右９ａと上面操作部中央９ｃに、操作基板１２ｂは上面操作部左９ｂに対応している。３４は基板間を接続するケーブルである。
【００４３】
制御手段１９について図３で説明する。制御手段１９は、操作部９０の上面操作部９で設定された内容及び事前に組み込まれた自動調理などのプログラムに基づき、調理の開始、停止、火力の設定情報、加熱動作を制御信号として駆動部１７０である左右インバータ基板１８や中央インバータ基板１７に送り、加熱コイル１３を制御する。
【００４４】
また、操作部９０の前面操作パネル４０で設定された内容及び事前に組み込まれた自動調理などのプログラムに基づき、調理の開始、停止、火力の設定情報に基づき、ロースター４の加熱部を制御する。  また、制御手段１９は、送風ファン２０の動作を制御も行い、加熱動作中は送風ファン２０を動作させる。
【００４５】
次に、図１、図２、図６、図７、図８により、操作無効化手段３９を説明する。
【００４６】
図１において、プレート３に、上面操作部９より奥側で、前側左右載置部６ｄの間である載置部右６ａと載置部左６ｂの間に挟まれ、載置部中央６ｃの前方の位置であるプレート３の略中央に操作無効化手段３９を設ける。
【００４７】
図２において、本体２の上面に配置されるフレーム１４で囲まれたプレート３の奥行寸法Ｌ４は約５１ｃｍである。
【００４８】
図８において、操作無効化手段３９の位置について説明する。システムキッチン１に組み込まれた本体２の上面に配置されるプレート３に設けた操作無効化手段３９の位置は、本体２の前端からの距離Ｌ２は約２５ｃｍである。
【００４９】
システムキッチン１に本体２を組み込んだ状態で例として幼児が操作する状態を説明する。システムキッチン高さＬ３は８０ｃｍ、８５ｃｍ、９０ｃｍで標準化されている。市場では、成人女性の平均身長に対応してシステムキッチン高さＬ３が８５ｃｍを標準とするものが多い。
【００５０】
幼児の平均身長は１歳で約７５ｃｍ、２歳で約８５ｃｍ、３歳で９３ｃｍである。２〜３歳でシステムキッチン高さＬ３の標準的な高さ８５ｃｍを超えるため、プレート３の前方に設ける上面操作部９に手が届きやすい。
【００５１】
しかし、プレート３の略中央で、前端から距離Ｌ２（約２５ｃｍ）奥側に操作無効化手段３９を設けて２〜３歳の幼児にとって手が届きにくくしている。
【００５２】
図１において、調理をしないときに使用者は、プレート３には載置部６が表示されていて、鍋を表示に合わせて置こうとすることが考えられるため、前側左右載置部６ｄや、載置部中央６ｃには、鍋を仮置きする場合がある。
【００５３】
しかし、調理は奥側の載置部６では行う頻度は少ないので、奥側の載置部中央６ｃの左右には、空きスペースとして活用して鍋や、鍋以外のものを仮置きする場合がある。
【００５４】
一方、前側左右載置部６ｄは、前側であり、調理に使用する頻度が高いので、使用者は、前側左右載置部６ｄの間には鍋や鍋以外のものを仮置きしないものである。
【００５５】
そのため、載置部中央６ｃの左右を空きスペースとして活用して鍋や、鍋以外のものを仮置きしても、前側左右載置部６ｄの間に操作無効化手段３９を設けることで、操作無効化手段３９を仮置した鍋で誤設定、誤解除することがないことを目的にして配置したものである。
【００５６】
図８において、操作無効化手段３９は、静電容量式の変化を検出する複数のタッチキーによって構成されている。制御手段１９に接続されている。
【００５７】
図６、図７において、操作無効化手段３９は、最も手前に解除キー３９ａを備える。解除キー３９ａの奥側で前後方向に配置し複数種類のキーを設けるロックキー群３９ｄを備える。そのため、複数の加熱手段３０の操作無効化の設定と解除をする操作機能を集約したものである。
【００５８】
手前側に設けた解除キー３９ａは、上面操作部９の入力を無効に設定する際に入力する操作有効を解除する解除キーであり、かつ、上面操作部９の入力を無効から有効に設定する際に入力する操作無効を解除する解除キーである。
【００５９】
ロックキー群３９ｄは、最も奥側に全無効化キー３９ｃを備える。全無効化キー３９ｃは加熱手段３０の全ての加熱動作をしないように操作を無効とするものである。図６における例として、全無効化キー３９ｃはチャイルドロックキーを示したものである。そして、解除キー３９ａと全無効化キー３９ｃの間に特定無効化キー３９ｂを備える。特定無効化キー３９ｂは、加熱手段３０の一つを特定して、操作無効化の設定をするためのキーである。図６においては、特定無効化キー３９ｂは載置部中央６ｃに設ける中央ヒータを操作無効とする中央ヒーターロックキーを示したものである。
【００６０】
図６において、全ての加熱手段で加熱動作が行われないように操作無効とするための設定と解除について説明する。
【００６１】
操作無効化手段３９での操作無効化の設定時は、手前から奥側へ操作する。まず、解除キー３９ａを入力する。次に、ロックキー群３９ｄの特定無効化キー３９ｂを入力する。そして更に全無効化キー３９ｃを入力して設定を確定する。
【００６２】
操作無効化手段３９での操作無効化の解除時は、奥側から手前へ操作する。まず、ロックキー群３９ｄの全無効化キー３９ｃを入力する。次に、ロックキー群３９ｄの特定無効化キー３９ｂを入力する。そして更に解除キー３９ａを入力して解除を確定する。
【００６３】
また、図７において、加熱手段３０の一つを特定して加熱手段で加熱動作が行われないように操作無効とするための設定と解除について説明する。
【００６４】
操作無効化手段３９での操作無効化の設定時は、手前から奥側へ操作する。まず、解除キー３９ａを入力する。次に、ロックキー群３９ｄの特定無効化キー３９ｂを入力する。ここで入力を終わることで、設定を確定する。それは、制御手段１９に設けるタイマー制御部によって、解除キー３９ａ入力後所定時間以内に特定無効化キー３９ｂの入力が確認されたとき、更に所定時間以内に全無効化キー３９ｃを入力されない場合に特定無効化キー３９ｂによる設定が確定したと判断するものである。
【００６５】
そして、操作無効化手段３９での操作無効化の解除時は、奥側から手前へ操作する。まず、ロックキー群３９ｄの特定無効化キー３９ｂを入力する。次に、解除キー３９ａを入力して解除を確定する。それは、制御手段１９によって、特定無効化キー３９ｂ入力後所定時間以内に解除キー３９ａの入力された場合に特定無効化キー３９ｂによる設定を解除したと判断するものである。
【００６６】
加熱コイル１３の場合、載置部６に鍋などが無ければ、制御手段１９により加熱コイル１３への通電が遮断されるが、ラジエントヒータは、鍋の有無に関わらず発熱するので、載置部６に紙などの可燃物が放置された場合に加熱されて発煙発火に至る恐れがある。そのため、ラジエントヒータで加熱する加熱手段の場合に、特定無効化キー３９ｂで操作無効化を設定することで特に使い勝手がよいものである。
【００６７】
操作無効化手段３９の操作無効化の設定時と解除時が複数のキーの異なる操作の入力方法とすることにより、確実にし、容易な操作または、無造作に触ることによって設定または解除となることを防止することができる。
【００６８】
以上の実施例によれば、操作無効化手段をプレート上に配置した構成であっても、意図せずに操作無効化手段を操作することを防止できる。
【符号の説明】
【００６９】
２  本体
３  プレート
６  載置部
６ｄ  前側左右載置部
９  上面操作部
１３  加熱コイル
１９  制御手段
３０  加熱手段
３９  操作無効化手段
３９ａ  解除キー
３９ｂ  特定無効化キー
３９ｃ  全無効化キー
９ｄ  ロックキー群
【図１】
2015156273.tif 000003
【図２】
2015156273.tif 000004
【図３】
2015156273.tif 000005
【図４】
2015156273.tif 000006
【図５】
2015156273.tif 000007
【図６】
2015156273.tif 000008
【図７】
2015156273.tif 000009
【図８】
2015156273.tif 000010